(57)【要約】【課題】利用者の好みにあった各種報知音データを装置等を交換することなく親機に取り込むことを可能とする。【解決手段】インターホン装置の親機２にＬＡＮ接続端子とＰＨＳカード接続端子を設けてインターネット網Ｎ１に接続し、インターネット網Ｎ１上に報知音データを蓄積した専用サーバ７を配置した。親機２に専用サーバ７から報知音データを選択して取得操作する音データ選択・取得ボタンを設けると共に、音データメモリ入出力機能、音データ再生機能を設け、専用サーバ７から親機２に報知音データをダウンロード可能とした。また、ＬＡＮ接続端子にはルータ６を介して報知音データを蓄積したパーソナルコンピュータ３７を接続することで、パーソナルコンピュータ３７の報知音データを直接ダウンロード可能とした。【選択図】  図２
2004235881.tif 000002
【特許請求の範囲】
【請求項１】
呼出機能及び通話機能を有する子機と、通話機能を有する親機とを備えたインターホン装置であって、
前記親機は、インターネット接続機能と、前記子機からの呼出操作により鳴動する呼出音のデータを含む報知音データを入出力する音データメモリ入出力機能と、前記報知音データを再生する音データ再生機能とを備え、
更に、インターネット網に接続した際に、インターネット上から前記報知音データをダウンロードし、前記音データメモリ入出力機能を作動させて保存すると共に前記子機の呼出時には保存した前記報知音データを読み出し、前記音データ再生機能を作動させて鳴動動作させるＣＰＵを備えて成ることを特徴とするインターホン装置。
【請求項２】
呼出機能及び通話機能を有する子機と、通話機能を備えた親機とから成るインターホン装置であって、
前記親機は、ルータを介してパーソナルコンピュータに接続する機能と、前記子機からの呼出操作により鳴動する呼出音のデータを含む報知音データを入出力する音データメモリ入出力機能と、前記報知音データを再生する音データ再生機能とを備え、
更に、ルータを介して音データを蓄積したパーソナルコンピュータが接続された場合には、前記音データを前記パーソナルコンピュータからダウンロードし、前記音データメモリ入出力機能を作動させて報知音データとして保存すると共に前記子機の呼出時に保存した前記報知音データを読み出し、前記音データ再生機能を作動させて鳴動させるＣＰＵを備えて成ることを特徴とするインターホン装置。
【請求項３】
前記親機はメモリカード接続部を備え、前記報知音データを記録したメモリカードを接続することで、前記ＣＰＵは、前記メモリカードから前記報知音データをダウンロード可能であることを特徴とする請求項１又は２記載のインターホン装置。
【請求項４】
呼出機能及び通話機能を有する子機と、通話機能及びインターネット接続機能を有する親機を備えたインターホン装置をインターネット網に接続して成るインターホンシステムであって、
インターネット網上に前記子機からの呼出操作により鳴動する呼出音のデータを含む報知音データを蓄積した専用サーバを配置すると共に、前記親機には、前記報知音データを入出力する音データメモリ入出力機能と、前記報知音データを再生する音データ再生機能とを設け、
前記親機は、更に前記インターネットを介して前記専用サーバから前記報知音データをダウンロードし、ダウンロードした前記報知音データを前記音データメモリ入出力機能を作動させて保存すると共に前記子機の呼出時に保存した前記報知音データを読み出し、前記音データ再生機能を作動させて鳴動させるＣＰＵを備えて成ることを特徴とするインターホンシステム。
【請求項５】
インターネット網に音データが蓄積されたパーソナルコンピュータが接続された場合には、前記専用サーバは前記パーソナルコンピュータからアップロードされた前記音データを報知音データとして蓄積可能であることを特徴とする請求項４記載のインターホンシステム。
【発明の詳細な説明】
【０００１】
【発明の属する技術分野】
本発明は、子機と親機から成るインターホン装置を備えたインターホンシステムに関し、特にサーバ等に蓄積された報知音データをダウンロードして、呼出音や警戒音或いは確認音等に利用することを可能としたインターホン装置、及び周辺装置を含めたインターホンシステムに関する。
【０００２】
【従来の技術】
玄関等に設置される子機の操作により居室に設置された親機が来訪者を知らせる呼出音を発し、子機と親機の間で通話を可能とする従来のインターホン装置において、親機が発する呼出音や各種報知音或いは警戒音の音色やメロディは、従来固定されたものが広く使用されていた。ところが、隣接する家屋が近い場合や集合住宅の場合、同一の音色，メロディでは自宅のインターホン装置の報知音か、隣家のインターホン装置の報知音か判断できない場合が発生するため、例えば特許文献１に示すように呼出音等の報知音を変更可能としたものがある。これは、呼出音を住居人が変更可能としたもので、親機内に複数種類の音源を記憶した音源部を有し、呼出音音色選択手段を操作して住居人の好みにあった呼出音を選択するものであった。
【０００３】
【特許文献１】
特開平１１−２８４７４８号公報
【０００４】
【発明が解決しようとする課題】
しかしながら、上記特許文献１のインターホン装置は、予め備えた音源の中であれば呼出音を容易に変更することができるが、音源部にない新たな音源を使用したい場合はインターホン装置を交換するか少なくともＲＯＭ等の音源部を交換しなければならず、面倒であるし大きなコストが発生するため事実上変更することはできなかった。また、呼出音以外の各種報知音や警戒音も含めて変更可能とする構成ではなかった。
【０００５】
そこで、本発明は上記問題点に鑑みなされたもので、利用者の好みにあった各種報知音をインターネットやパーソナルコンピュータを利用することで、インターホン装置やメモリ等を交換することなく親機に取り込むことが可能なインターホン装置、及び報知音データを提供する周辺装置を含むインターホンシステムを提供することを目的としている。
【０００６】
【課題を解決するための手段】
上記課題を解決するため、請求項１の発明は、呼出機能及び通話機能を有する子機と、通話機能を有する親機とを備えたインターホン装置であって、親機は、インターネット接続機能と、子機からの呼出操作により鳴動する呼出音のデータを含む報知音データを入出力する音データメモリ入出力機能と、報知音データを再生する音データ再生機能とを備え、更に、インターネット網に接続した際に、インターネット上から報知音データをダウンロードし、音データメモリ入出力機能を作動させて保存すると共に子機の呼出時には保存した報知音データを読み出し、音データ再生機能を作動させて鳴動動作させるＣＰＵを備えて成ることを特徴とする。
このように構成することで、インターホン装置の親機をインターネット網に接続して、インターネット上から報知音データをダウンロードすることができ、ダウンロードした報知音データを、呼出音、警戒音更には確認音として使用することで、利用者の好みにあった各種報知音データをメモリ等を交換することなく親機に取り込むことができ、報知音を容易に変更できる。
尚、報知音データとは、子機からの呼出音及び親機に接続された各種センサ動作による警戒音、更には確認音等の音源となるインターホン装置に適した音データであり、「ピンポン」等の電子音データや呼出音等に適したデータ量及び長さの音楽データで形成される。
【０００７】
請求項２の発明は、呼出機能及び通話機能を有する子機と、通話機能を備えた親機とから成るインターホン装置であって、親機は、ルータを介してパーソナルコンピュータに接続する機能と、子機からの呼出操作により鳴動する呼出音のデータを含む報知音データを入出力する音データメモリ入出力機能と、報知音データを再生する音データ再生機能とを備え、更に、ルータを介して音データを蓄積したパーソナルコンピュータが接続された場合には、音データをパーソナルコンピュータからダウンロードし、音データメモリ入出力機能を作動させて報知音データとして保存すると共に子機の呼出時に保存した報知音データを読み出し、音データ再生機能を作動させて鳴動させるＣＰＵを備えて成ることを特徴とする。このように構成することで、パーソナルコンピュータに蓄えた音データを親機に報知音データとして取り込むことができるので、利用者の好みにあった各種報知音データを、メモリ等を交換することなく、またインターネットを介して専用サーバに接続しなくとも入手することが可能である。
【０００８】
請求項３の発明は、請求項１または２の発明において、親機はメモリカード接続部を備え、報知音データを記録したメモリカードを接続することで、ＣＰＵは、メモリカードから報知音データをダウンロード可能であることを特徴とする。この構成により、メモリーカードを用いて報知音データを取り込むことができ、インターネットに接続することなく簡易に報知音データを入手できる。
【０００９】
請求項４の発明は、呼出機能及び通話機能を有する子機と、通話機能及びインターネット接続機能を有する親機を備えたインターホン装置をインターネット網に接続して成るインターホンシステムであって、インターネット網上に子機からの呼出操作により鳴動する呼出音のデータを含む報知音データを蓄積した専用サーバを配置すると共に、親機には、報知音データを入出力する音データメモリ入出力機能と、報知音データを再生する音データ再生機能とを設け、親機は、更にインターネットを介して専用サーバから報知音データをダウンロードし、ダウンロードした報知音データを音データメモリ入出力機能を作動させて保存すると共に子機の呼出時に保存した報知音データを読み出し、音データ再生機能を作動させて鳴動させるＣＰＵを備えて成ることを特徴とする。
このように、インターホン装置に適した報知音データが蓄積された専用サーバがインターネット網上に配置されるので、専用サーバから報知音データをダウンロードするだけで、呼出音を初めとする各種報知音として利用でき、メモリ等を交換することなく、またデータ加工をすることなく、利用者の好みにあった報知音データを容易に入手できる。
【００１０】
請求項５の発明は、請求項４の発明において、インターネット網に音データが蓄積されたパーソナルコンピュータが接続された場合には、専用サーバはパーソナルコンピュータからアップロードされた音データを報知音データとして蓄積可能であることを特徴とする。
この構成により、パーソナルコンピュータにより専用サーバに報知音データをアップロードでき、蓄積した報知音データを追加できる。従って、インターホン装置にて使用する報知音データを任意の報知音データに変更することが可能となり、利用者は思い通りの報知音データを使用できる。
【００１１】
【発明の実施の形態】
以下、本発明を具体化した実施の形態を、図面に基づいて詳細に説明する。図１は本発明に係るインターホン装置のブロック図を示し、玄関等の戸外に設置される子機１と室内に設置される親機２から成り、両者は伝送線３で接続されている。
【００１２】
子機１は、親機２を呼び出す呼出ボタン１１、親機２と通話を行うマイク１２とスピーカ１３、親機２と信号の送受を行うインターフェイス１４を備え、このインターフェイス１４に、呼出ボタン１１、マイク１２とスピーカ１３が接続されている。また、親機２は、防犯用センサ（図示せず）等の各種センサの動作信号を検出するセンサ検出回路２１、子機１の呼出を検出する呼出検出回路２２、呼出音を報知したり子機１と通話を行うスピーカ２３、通話するためのマイク２４、音声出力切替回路２５、ＣＰＵ２６、子機１と信号の送受を行うインターフェイス２７を備え、インターフェイス２７にセンサ検出回路２１、呼出検出回路２２、マイク２４、音声出力切替回路２５が接続されている。
【００１３】
また、ＣＰＵ２６には、子機１からの呼出操作により鳴動する呼出音及び各種センサによる警戒音、更には確認音等の各種音源となるチャイム音データや音楽データから成る報知音データや通信プログラムを記録するＲＯＭ２８、ＰＨＳカード若しくはメモリカードを接続するためのＰＣＭＣＩＡインターフェイス２９、ローカルネットワークに接続するためのＬＡＮインターフェイス３０、専用サーバ７等から報知音データを選択，取得操作する音データ選択・取得ボタン３１、ＤＡＣ（デジタル／アナログ変換回路）３２、およびプログラム等を展開するためのＲＡＭ３３が接続されている。そして、３４はＬＡＮ接続端子、３５はＰＨＳカード接続端子であり、ＤＡＣ３２とスピーカ２３とで音データ再生機能を構成している。尚、この実施形態ではローカルネットワークをＡＤＳＬ網で形成している。
【００１４】
図２は、図１のインターホン装置を公衆回線に接続した状態を示すインターホンシステムの模式図であり、親機２のＰＨＳカード接続端子３５にはＰＨＳネットワーク網Ｎ２に無線接続を可能とするＰＨＳカード５が接続され、親機２はＰＨＳネットワーク網Ｎ２に無線接続されている。このＰＨＳネットワーク網Ｎ２はインターネット網Ｎ１に接続され、親機２はＰＨＳネットワーク網Ｎ２を介してインターネット網Ｎ１に接続されている。また、ＬＡＮ接続端子３４にはルータ６を介してローカルネットワークＮ３が接続され、このローカルネットワークＮ３もインターネット網Ｎ１に接続され、親機２は双方の回線からインターネット網Ｎ１に接続されている。
そして、インターネット網Ｎ１には、報知音データを蓄積した専用サーバ７が接続され、更に報知音データを含む音データが蓄積されたパーソナルコンピュータ（以下、ＰＣとする。）８が接続されている。尚、専用サーバ７は、インターホン装置の報知音に適するよう予め定めた所定のデータサイズに変換するデータ変換プログラムを有し、専用サーバ７にアップロードされた音データは所定のデータサイズに変換されて報知音データとして蓄積される。
【００１５】
以下、このように構成されたインターホンシステムの動作を説明する。
最初に専用サーバ７からのダウンロードについて図３のフローチャートを基に説明する。各種報知音データのダウンロードは、親機２の音データ選択・取得ボタン３１を操作して開始する。音データ選択・取得ボタン３１が操作されると、ＣＰＵ２６の動作により、親機２は、ＬＡＮ接続端子３４に接続されたローカルネットワークＮ３を介してインターネット網Ｎ１に接続された専用サーバ７との間でＴＣＰコネクションが確立（Ｓ１）される。尚、ここでは、ローカルネットワークを介して専用サーバ７からダウンロードする設定の場合を説明しているが、ＰＨＳネットワーク網Ｎ２を介して専用サーバ７からダウンロードする設定の場合は、ＰＨＳネットワーク網Ｎ２を介してインターネット網Ｎ１に接続される。以下、ＣＰＵ２６の動作は同様となるので、ローカルネットワークを介して報知音データをダウンロードする手順を説明する。
【００１６】
ＴＣＰコネクションが確立されると、ＣＰＵ２６はＲＯＭ２８に保存されている通信プログラムにより報知音データ取得のリクエストを作成し、専用サーバ７に報知音データ取得要求が行われる（Ｓ２）。要求を受け付けた専用サーバ７は、親機２の要求に応答するレスポンスを送信してダウンロードが開始される（Ｓ３）。
ダウンロードが完了すると専用サーバ７との接続は切断され（Ｓ４）、ダウンロードされた報知音データはプログラムにより設定したＣＰＵ２６の音データメモリ入出力機能により親機２のＥＰＲＯＭ等、書き換え可能なＲＯＭ２８に記録される（Ｓ５）。
そして、来訪者による子機操作で親機呼び出しが成されると（Ｓ６）、呼び出しを呼出検出回路２２が検出し、ＣＰＵ２６の音データ入出力機能により報知音データがＲＯＭ２８から読み出され（Ｓ７）、ＤＡＣ３２を介してＤ／Ａ変換され（Ｓ８）て再生され、音声出力切替回路２５を介してスピーカ２３より呼出音として出力される（Ｓ９）。
【００１７】
このように、インターホン装置の親機にインターネット接続機能を持たせることで、インターネット上から報知音データをダウンロードすることができ、各種報知音データを親機に取り込むことができる。このダウンロードした報知音データを、呼出音、警戒音更には確認音として使用することで、利用者の好みにあった各種報知音データをメモリ等を交換することなく呼出音、警戒音更には確認音等を利用者の好みにあった音に変更できる。
また、専用サーバにはインターホン装置の呼出音等に適した報知音データが蓄積されているので、専用サーバから報知音データをダウンロードするだけで、呼出音を初めとする各種報知音として利用でき、データ加工をすることなく容易に利用者の好みにあった報知音データを入手できる。
【００１８】
また、専用サーバ７は、アップロードした音データをインターホン装置の呼出音や報知音として適した所定のデータサイズに変換して報知音データとする機能を備えているので、蓄積される各種報知音データは、予め専用サーバ７内に蓄積されたものに加え、図２に示すようにインターネット網Ｎ１に接続されたＰＣ８上で作成、又は録音した音データをアップロードして報知音データとして蓄積して行くことができ、専用サーバ内７の報知音データを利用者によって追加できるので、任意の報知音データに変更することが可能となり、利用者は思い通りの報知音データを作成して呼出音等に使用することができる。
【００１９】
更に、ＲＯＭ２８にデータ量やデータ長をインターホン装置に適した形態に変換するデータ変換プログラムを記録しておけば、図２に示すように宅内でのルータ６を介したローカルネットワークＮ３に、各種音データを作成或いは蓄積したパーソナルコンピュータ（ＰＣ）３７を接続することで、直接親機２のＲＯＭ２８にデータ変換して報知音データとしてダウンロード記録することも可能であり、インターネットを介して専用サーバに接続しなくとも、利用者の好みにあった報知音データを入手することが可能となる。
【００２０】
また、ＰＨＳカード５に代わって、図２に示すようにＰＨＳカード接続端子３５にメモリカード９を接続できるので、各種報知音データを記録したメモリカードを接続すれば、メモリカード９から親機２のＰＣＭＣＩＡインターフェイス２９を介して報知音データをダウンロードし、ＲＯＭ２８に書き込むことが可能となる。この形態の場合、インターネットやＰＣを使用する必要が無く簡易に報知音データを入手できる。
【００２１】
尚、上記図１に示すインターホン装置は親機がＬＡＮ接続端子とＰＨＳカード接続端子の２つの公衆回線接続端子を設けて、利用者の選択肢を広げて便利な構成となっているが、何れか一方だけ設ければ報知音データを入手できる。従って、図２に示すインターホンシステムに於いても、親機２をＰＨＳネットワーク網及びローカルネットワークを介してインターネット網に接続しているが、何れか一方の回線からインターネット網に接続すれば専用サーバから報知音データをダウンロードできる。
また、図２ではインターネット網とローカルネットワークの双方にＰＣを接続しているが、何れか一方にＰＣ接続すればＰＣにて作成或いは蓄積した報知音データを親機にダウンロードできる。
更に、上記実施形態では、専用サーバに音データをアップロードして蓄積する際に、またＰＣから直接親機に音データを取り込む際に、データ量の少ない報知音データに変換しているが、必ずしもそうする必要はなく、大きなデータサイズのままメモリに保存し使用しても良い。但し、専用サーバや親機にデータサイズ変換機能を設ければ、専用サーバや親機のメモリ容量が比較的小さくても多くの報知音データを蓄積できる。
【００２２】
【発明の効果】
以上詳述したように、本発明によれば、インターホン装置の親機をインターネット網に接続して、インターネット上から報知音データをダウンロードすることができるので、ダウンロードした報知音データを、呼出音、警戒音更には確認音として使用することで、利用者の好みにあった各種報知音データをメモリ等を交換することなく親機に取り込むことができ、親機の報知音を容易に変更できる。また、パーソナルコンピュータに蓄えた音データを報知音として直接親機に取り込むことができるので、利用者の好みにあった各種報知音データを、インターネットに接続することなく入手することが可能であるし、メモリーカードを用いて報知音データを取り込むこともできるので、簡易に報知音データを入手できる。
【００２３】
更に、インターネット上にインターホン装置に適した報知音データを蓄積した専用サーバを設けることで、専用サーバから報知音データをダウンロードするだけで、呼出音を初めとする各種報知音データを取り込むことができ、データ加工をすることなく容易に利用者の好みにあった報知音データを入手できる。
また、パーソナルコンピュータにより専用サーバに報知音データをアップロードし、報知音データを追加できるので、インターホン装置にて使用する報知音データを任意な報知音データに変更することが可能となり、利用者は思い通りの報知音データを使用できる。
【図面の簡単な説明】
【図１】本発明に係るインターホン装置の実施形態の一例を示すブロック図である。
【図２】図１のインターホン装置をインターネット網に接続したインターホンシステムの構成図でる。
【図３】報知音データのダウンロードから再生までのＣＰＵ動作のフローである。
【符号の説明】
１・・子機、２・・親機、５・・ＰＨＳカード、６・・ルータ、７・・専用サーバ、８・・パーソナルコンピュータ（ＰＣ）、９・・メモリカード、２３・・スピーカ、２６・・ＣＰＵ、２８・・ＲＯＭ、２９・・ＰＣＭＣＩＡインターフェイス、３０・・ＬＡＮインターフェイス、３１・・音データ選択取得ボタン、３２・・ＤＡＣ、３４・・ＬＡＮ接続端子、３５・・ＰＨＳカード接続端子、３７・・パーソナルコンピュータ（ＰＣ）。
【図１】
2004235881.tif 000003
【図２】
2004235881.tif 000004
【図３】
2004235881.tif 000005